(57)【要約】【課題】効率良く排水できるとともに、コストの低減が可能な建設中の建物の排水方法を提供することを目的とする。【解決手段】予め建設中の建物１の所定階１ａに、他の床２よりも一段低い低床部３を形成するとともに、この低床部３に排水孔３ａを設けておき、前記建物１の所定階１ａに雨水等の水が流入した際に、この水を低床部３に集水するとともに排水孔３ａから排水し、排水不要後、前記排水孔３ａを埋めることを特徴とする建設中の建物１の排水方法。このような建設中の建物１の排水方法によって、従来とは異なり、手作業での汲み出しや、排水ポンプ等を用いた排水作業を行う必要がないので、効率良く排水できるとともに、コストの低減が可能となる。さらに、排水不要後は、前記排水孔３ａを埋めるので、前記所定階１ａの下部階１ｂへの水漏れを確実に防ぐことが可能となる。【選択図】図１
2007255146.tif 000002
【特許請求の範囲】
【請求項１】
予め建設中の建物の所定階に、他の床よりも一段低い低床部を形成するとともに、この低床部に排水孔を設けておき、前記建物の所定階に雨水等の水が流入した際に、この水を低床部に集水するとともに排水孔から排水し、排水不要後、前記排水孔を埋めることを特徴とする建設中の建物の排水方法。
【請求項２】
前記排水孔の下方に、前記低床部と外部とを連通する排水管を設けることを特徴とする請求項１に記載の建設中の建物の排水方法。
【発明の詳細な説明】
【技術分野】
【０００１】
本発明は、建設中の建物内に流入した雨水等の水を排出する建設中の建物の排水方法に関する。
【背景技術】
【０００２】
建設中のマンション等の建物には、ユニットバスを設置するためのスペースが各階に設けられている。このようなユニットバスの設置スペースの床は、他の居住スペース等の床よりも一段低く形成されている。
【０００３】
ところで、建設中の建物においては、上部階や屋根、壁を構築する前に雨水等の水が流入する場合があり、この水が、他の床よりも一段低く形成されたユニットバスの設置スペース等に溜まってしまう場合があった。従来、このような水を排水する際は、手作業での汲み出しや、排水ポンプ等を用いた排水作業が行われていた。
【０００４】
しかし、このように手作業で汲み出す場合、作業員の負担が大きい割に排水量を稼ぐことができず、効率が悪かった。また、排水ポンプを用いた排水作業の場合、排水ポンプの稼動に係るコストが高くなってしまうという問題があった。
そこで、例えば特許文献１に記載のようなコンクリートスラブ内に埋設されたボイド管等を利用して雨水等の水を外部に排水し、上記のような問題を解決したいという要望があった。
【特許文献１】特許第３６７６４９７号公報
【発明の開示】
【発明が解決しようとする課題】
【０００５】
ところが、上記特許文献１に記載のボイド管は中空スラブ形成用であり、上述したような雨水の排水が目的ではない。そのため、必ずしもユニットバスの設置スペース等にボイド管が敷設されてはいないので、新たに管を敷設しなければならない。また、排水が不要となった後は下部階への水漏れを防止する必要があるため、ボイド管によって中空に形成されたコンクリートスラブの中空部を埋めなければならない等、種々の不具合が生じてしまう場合があった。
そこで、このような不具合を生じさせずに雨水等を排水できるような技術の開発が望まれていた。
【０００６】
本発明の課題は、効率良く排水できるとともに、コストの低減が可能な建設中の建物の排水方法を提供することを目的とする。
【課題を解決するための手段】
【０００７】
請求項１に記載の発明は、例えば図１に示すように、予め建設中の建物１の所定階１ａに、他の床２よりも一段低い低床部３を形成するとともに、この低床部３に排水孔３ａを設けておき、前記建物１の所定階１ａに雨水等の水が流入した際に、この水を低床部３に集水するとともに排水孔３ａから排水し、排水不要後、前記排水孔３ａを埋めることを特徴とする。
【０００８】
請求項１に記載の発明によれば、予め建設中の建物の所定階に、他の床よりも一段低い低床部を形成するとともに、この低床部に排水孔を設けておくので、建物の所定階に流入した雨水等の水を前記低床部に集水することができ、集水した水を前記排水孔から排水することができる。すなわち、前記低床部は、他の床よりも一段低く形成されているので、建物の所定階に流入した水を自然に低床部へと集水することができる。また、この低床部に前記排水孔を設けるので、集水された水を自然排水することができる。これによって、従来とは異なり、手作業での汲み出しや、排水ポンプ等を用いた排水作業を行う必要がないので、効率良く排水できるとともに、コストの低減が可能となる。
さらに、排水不要後は、前記排水孔を埋めるので、前記所定階の下部階への水漏れを確実に防ぐことが可能となる。
【０００９】
請求項２に記載の発明は、例えば図２に示すように、請求項１に記載の建設中の建物１の排水方法において、前記排水孔３ａの下方に、前記低床部３と外部とを連通する排水管４を設けることを特徴とする。
【００１０】
請求項２に記載の発明によれば、前記排水孔の下方に、前記低床部と外部とを連通する排水管を設けるので、前記低床部に集水された雨水等の水を外部へと確実に自然排水することができる。これによって、従来とは異なり、手作業によって汲み出す必要がないので、より効率良く排水できる。
【発明の効果】
【００１１】
本発明によれば、建物の所定階に流入した雨水等の水を、他の床よりも一段低い低床部へと自然に集水することができ、この低床部に設けられた排水孔によって、集水された水を自然排水することができる。これによって、従来とは異なり、手作業での汲み出しや、排水ポンプ等を用いた排水作業を行う必要がないので、効率良く排水できるとともに、コストの低減が可能となる。
さらに、排水不要後は、前記排水孔を埋めるので、前記所定階の下部階への水漏れを確実に防ぐことが可能となる。
【発明を実施するための最良の形態】
【００１２】
以下、図面を参照して本発明の実施の形態について説明する。
【００１３】
図１、図２は本発明が適用される建設中の建物１の施工概要図である。この建設中の建物１は、鉄筋コンクリート造のマンションであり、図１は所定階１ａの床スラブ１０を斜め上方から見た斜視図であり、図２は図１に示す所定階１ａの下部階１ｂで前記床スラブ１０、すなわち天井スラブ１０を下方から見上げた斜視図である。
【００１４】
この建設中の建物１には、各階に複数の住戸が設けられており、これら複数の住戸には、それぞれユニットバスを設置するためのスペース３が設けられている。
そして、図１に示すように、このユニットバスを設置するためのスペース３は、浴室から水が溢れ出ないようにするために、他の居住スペースの床２よりも一段低い低床部３となっている。
したがって、例えば建設中の建物１の所定階１ａに雨水等の水が流入した際は、前記他の居住スペースの床２には水が溜まりにくく、低床部３には水が溜まりやすい構造となる。これによって、この低床部３に雨水等の水を自然に集水することができるようになっている。
そして、このような低床部３に排水孔３ａを設けることで、集水された水を自然に排水できるようになっている。
【００１５】
なお、図示はしないが、前記低床部３を他の居住スペースの床２よりも一段低くするだけでなく、この低床部３内に、さらに床面高さの低い部分を形成することが好ましい。この時、例えば排水孔３ａを最低部とし、この最低部に向かって傾斜するようにして、所定の範囲内で低床部３の床面の一部を低く形成する。
すなわち、このように低い部分に前記排水孔３ａを形成することによって、図１中の矢印のように、集水された水が排水孔３ａに向かうようになるので、より自然排水しやすい構造となる。
【００１６】
また、前記排水孔３ａを設ける際は、コンクリートを打設して床スラブ１０を形成するのと同時に、この床スラブ１０を貫通するようにして設け、この排水孔３ａによって前記低床部３と下部階１ｂとを連通した状態とする。
一方、前記低床部３内の床面高さの低い部分を形成する際も、前記排水孔３ａを設けるのと同時に形成作業を行うようにする。
【００１７】
さらに、この排水孔３ａの下方に、図２に示すように、前記低床部３と外部とを連通する排水管４を設ける。また、この排水管４を設ける際は、前記排水孔３ａと同じく、床スラブ１０を形成するのと同時に排水孔３ａに固定して設けるようにする。
そして、このように排水管４を設けることで、前記低床部３に集水された雨水等の水を外部へと確実に自然排水することができる。これによって、従来とは異なり、手作業によって汲み出す必要がないので、より効率良く排水できるようになっている。
なお、本実施の形態においては、この排水管４として例えば電気配線用配管等のホース状のものが用いられる。
【００１８】
また、前記所定階１ａには複数の住戸が設けられているので、これら住戸の各低床部３に排水管４をそれぞれ設けるとともに、これら排水管４を同方向に延出して設け、排水ルートを確保する。
この時、排水管４は天井スラブから突出する複数の吊部材５によって吊設支持する。つまり、例えば先端がフック状に形成された吊部材５を用いての吊設支持や、排水管４と吊部材５とをワイヤ等で緊結して支持するような吊設が行われる。
さらに、図示はしないが、外部に貯水タンクを設置して、この貯水タンクに前記排水管４の先端が向かうようにしておくことが好ましい。
【００１９】
次に、排水不要後の前記排水孔３ａおよび排水管４の後処理について説明する。すなわち、排水不要後においては下部階１ｂへの水漏れを防止するために、前記排水孔３ａを埋める。この時、排水孔３ａの下方に設けられた前記排水管４を切除してから排水孔３ａを埋めるようにする。また、排水不要後の前記排水管４は、天井スラブ１０から下部階１ｂに向かって突出しないように切除する。
【００２０】
なお、上述したように、この排水孔３ａは前記低床部３の中でもさらに低い部分に設けられるので、この排水孔３ａの周囲も排水孔３ａと同時に埋め立てて、前記低床部３の床面を平坦なものとする。
また、排水孔３ａおよびその周囲を埋める補修剤として、本実施の形態ではモルタルが用いられる。このようにモルタルが用いられる場合は、その補修箇所に、浸透性の防水剤を散布して漏水を確実に防止する。
一方、本実施の形態の補修剤としては、モルタルだけに限られず、例えば漏水防止のコーキング材等でも良い。また、下部階１ｂへの水漏れを確実に防ぐことができれば、これら本実施の形態で挙げた補修剤に限られるものではない。
【００２１】
本実施の形態によれば、建物１の所定階１ａに流入した雨水等の水を、他の床２よりも一段低い低床部３へと自然に集水することができ、この低床部３に設けられた排水孔３ａによって、集水された水を自然排水することができる。これによって、従来とは異なり、手作業での汲み出しや、排水ポンプ等を用いた排水作業を行う必要がないので、効率良く排水できるとともに、コストの低減が可能となる。
さらに、排水不要後は、前記排水孔３ａを埋めるので、前記所定階１ａの下部階１ｂへの水漏れを確実に防ぐことが可能となる。
【図面の簡単な説明】
【００２２】
【図１】本発明が適用される建設中の建物の低床部を示す斜視図である。
【図２】低床部と外部とを連通する排水管の設置状態を示す斜視図である。
【符号の説明】
【００２３】
１  建設中の建物
１ａ  所定階
２  他の床
３  低床部
３ａ  排水孔
４  排水管
【図１】
2007255146.tif 000003
【図２】
2007255146.tif 000004